(57)【要約】      （修正有）【課題】ジャケットを掛けてからズボンを掛けるまでの手間を短縮し、より簡単にスーツを収納することが可能なスーツ用ハンガーを提供する。【解決手段】本発明のスーツ用ハンガーは、中央部に上方に向かってフック１１が突設され、かつ中央部から左右に向けて先下がりに設けられた左右一対の衣類吊持杆を有するジャケット用ハンガー部１０と、ジャケット用ハンガー部の中央部から下方に突設され、かつ前方に向けて上下揺動可能に設けられたシャフト３２、およびシャフトの下端部に連結されズボンが掛けられる水平杆３６を具備するズボン用ハンガー部３０とで構成される。ジャケット用ハンガー部はその左右一対の衣類吊持杆の中央部下方にて上下回動するフラップ１４を有し、ズボン用ハンガー部にはフラップを略水平に回動させた際にフラップの先端が当接するシャフトの位置にフラップの先端が着脱自在に係合する係合凹部３４が設けられる。【選択図】図１
2020130992.tif 000002
【特許請求の範囲】
【請求項１】
中央部に上方に向かってフック（１１）が突設され、かつ、中央部から左右に向けて先下がりに設けられた左右一対の衣類吊持杆（１０ａ）を有するジャケット用ハンガー部１０と、
上記ジャケット用ハンガー部（１０）の中央部から下方に突設され、かつ前方に向けて上下揺動可能に設けられたシャフト（３２）、および、そのシャフト（３２）の下端部に連結され、ズボンが掛けられる水平杆（３６）を具備するズボン用ハンガー部（３０）とで構成されたスーツ用ハンガー（５０）であって、
上記ジャケット用ハンガー部（１０）は、その左右一対の衣類吊持杆（１０ａ）の中央部下方に上下揺動可能なフラップ（１４）を有し、
上記ズボン用ハンガー部（３０）には、上記フラップ（１４）を略水平に回動させた際に、そのフラップ（１４）の先端部（１４ｂ）が当接する上記シャフト（３２）の位置に、当該フラップ（１４）の先端部（１４ｂ）が着脱自在に係合する係合凹部（３４）が設けられる、
ことを特徴とするスーツ用ハンガー
【請求項２】
請求項１のスーツ用ハンガーにおいて、
前記ズボン用ハンガー部（３０）に設けられた前記の係合凹部（３４）が、下方に向けて切込み深さが大きくなる楔状にて設けられる、ことを特徴とするスーツ用ハンガー。
【発明の詳細な説明】
【技術分野】
【０００１】  本発明は、ジャケット（上衣）とズボン（下衣）とで構成されたスーツのジャケットとズボンをセットで掛けて収納するハンガーに関する。
【背景技術】
【０００２】  ジャケット（上衣）用のハンガーにズボン（下衣）も同時に掛けることのできる仕組みのスーツ用ハンガーは従来存在し、家庭や小売店などで広く利用されており、その使いやすさを追求して様々な工夫がされてきた。【０００３】  例えば、実用新案登録第３１３５０６４号公報に記載の可変式スーツ用ハンガーでは、ズボン用ハンガー部がハンガー本体より前方に出るよう、ハンガー本体の中央下部に設けられたフック部分に対するズボン用ハンガー部上端に設けられたフックの係合位置を掛け変えることによって、ジャケットをハンガー本体にかけた後でもズボンをハンガー（ズボン用ハンガー部）に掛けやすくすることができる。しかしながら、ズボン用ハンガー部をハンガー本体より前方に出すとハンガー全体の厚みは大きくなるから、このような状態ではクローゼットなどへの収納時にかさばる結果となる。このため、かかる可変式スーツ用ハンガーにおいては、クローゼットなどへの収納時にかさばらないようにするために、ハンガー本体のフック部分に対するズボン用ハンガー部のフックの掛け方をまた変えることができるが、このような作業は手間がかかることであり、面倒である。
【先行技術文献】
【特許文献】
【０００４】
【特許文献１】実用新案登録第３１３５０６４号公報
【発明の概要】
【発明が解決しようとする課題】  上記のように、従来のスーツ用ハンガーでは、ジャケットとズボンをセットで収納することは出来るが、その収納の過程は動作が多く手間がかかるため、疲れて帰宅したときにそのようなスーツ用ハンガーを使ってジャケットとズボンを収納することが次第に億劫になってしまう。
それゆえに、本発明の目的は、ジャケットを掛けてからズボンを掛け終わるまでの手間を短縮し、より簡単にスーツを収納することが可能なスーツ用ハンガーを提供することにある。
【課題を解決するための手段】
【０００５】  上記の目的を達成するため、本発明は、例えば、図１から図４に示すように、スーツ用ハンガーを次のように構成した。
すなわち、中央部に上方に向かってフック１１が突設され、かつ、中央部から左右に向けて先下がりに設けられた左右一対の吊持杆１０ａを有するジャケット用ハンガー部１０と、上記ジャケット用ハンガー部１０の中央部から下方に突設され、かつ前方に向けて上下揺動可能に設けられたシャフト３２、および、そのシャフト３２の下端部に連結され、ズボンが掛けられる水平杆３６を具備するズボン用ハンガー部３０とで構成される。
上記ジャケット用ハンガー部１０は、その左右一対の衣類吊持杆１０ａの中央部下方にて上下回動するフラップ１４を有する。また、上記ズボン用ハンガー部３０には、上記フラップ１４を略水平に回動させた際に、そのフラップ１４の先端が当接する上記シャフト３２の位置に、当該フラップ１４の先端が着脱自在に係合する係合凹部３４が設けられる。【０００６】  本発明のスーツ用ハンガーでは、ジャケット用ハンガー部１０のフラップ１４を上方へ回動させて、その先端部をズボン用ハンガー部３０のシャフト３２に設けられた係合凹部３４に係合させるだけで、ズボン用ハンガー部３０をジャケット用ハンガー部１０の前方に押し出した状態で固定することができる。
また、係合凹部３４とフラップ１４の先端部との係合を解除するだけで、ズボン用ハンガー部３０は自重で下方へと回動し、ジャケット用ハンガー部１０の下方（鉛直線上）に収容される。【０００７】  本発明においては、前記ズボン用ハンガー部３０に設けられた前記の係合凹部３４が、下方に向けて切込み深さが大きくなる楔状にて設けられるのが好ましい。
この場合、係合凹部３４にフラップ１４の先端部を係合させる際に、楔状に形成された係合凹部３４の斜面が、フラップ１４の先端部分を両者の係合位置である係合凹部３４下端の最深部まで案内するようになるため、両者の係合をスムーズに行うことができるようになる。【０００８】  さらに、本発明は、後述する実施形態に記載された特有の構成を付加することが好ましい。
【発明の効果】
【０００９】  本発明によれば、ジャケットを掛けてからズボンを掛け終わるまでの手間を短縮し、より簡単にスーツを収納することが可能なスーツ用ハンガーを提供することができる。
【図面の簡単な説明】
【００１０】
【図１】本発明のスーツ用ハンガーの全体を見た図であり、使用していない状態を表している。
【図２】本発明のスーツ用ハンガーを側面から見た図であり、ズボン用ハンガー部を前方へ回動させた状態を表している。
【図３】本発明のスーツ用ハンガーを側面から見た図であり、ズボン用ハンガー部にズボンをかけた後、ジャケット用ハンガー部を傾けたときの状態を表している。
【図４】本発明のスーツ用ハンガーのフラップ部分周辺を詳細に示した拡大図である。
【発明を実施するための形態】
【００１１】  本発明の一実施形態のスーツ用ハンガー５０を図１から図４によって説明する。
図１は本発明に係るスーツ用ハンガー５０の第１実施形態を示す全体図である。この図が示すように、本実施形態のスーツ用ハンガー５０は、スーツの上下が型崩れしないよう、これらを共に保持して保管するための収納用具であり、大略、ジャケット用ハンガー部１０とズボン用ハンガー部３０とで構成される。
【００１２】  ジャケット用ハンガー部１０は、ジャケット（上衣）を掛けて保管するための物であり、中央部に上方に向かって突設されたフック１１、中央部から左右に向けて先下がりに延設された左右一対の吊持杆１０ａ、前記吊持杆１０ａの中央下方にて上下揺動可能に設けられたフラップ１４、および吊持杆１０ａにフラップ１４を取り付けフラップ１４の回動を制御するストッパー部１６にて構成される。
【００１３】  フック１１は、ジャケット用ハンガー部１０を洋服掛け等に掛けるため、シャフトの上部が鈎状に曲成された鈎状部材である。このフック１１を構成するシャフトの下部には、一体的に形成された左右一対の吊持杆１０ａの中心部が、水平方向への回転が可能な状態で取り付けられている。
【００１４】  吊持杆１０ａは、上述の通りジャケット用ハンガー部１０の中央部から左右それぞれに向けて先下がりに延設された一対の部材であって、ジャケット（上衣）を掛けて保持する際に、そのジャケットが形崩れしない状態で装着され得る形状に成形された部材である。
【００１５】  フラップ１４は、左右一対の吊持杆１０ａの間に、その上部を軸として回動可能に架設された板状部材であって、ズボン用ハンガー部３０をその正面に位置する使用者から見て手前側（前方）に迫り上げるためのものである。このフラップ１４は、前後（上下）方向に回動して、その下端部に形成されたフラップ先端部１４ｂが、後述するズボン用ハンガー部３０のシャフト３２に当接しながら、これを持ち上げる。また、このフラップ１４の側面における幅方向中央には、図１に示すようにフラップ１４を下ろしてズボン用ハンガー部３０をジャケット用ハンガー部１０の直下に懸垂させた際に、上記のシャフト３２が収められる凹部１４ｃが上下方向に設けられている。
なお、このフラップ１４は、吊持杆１０ａを手で持ったときに指先で手前に押し出すことができる位置および大きさにて設けるのが望ましい。このため、本実施形態では、当該フラップ１４が、ストッパー部１６を介して、左右一対の吊持杆１０ａの高さ方向略中央に設けられている。
【００１６】  ストッパー部１６は、互いに対面する一対の吊持杆１０ａそれぞれの側面から対面する吊持杆１０ａの方向に向けて突出するように設けられた左右一対の小片部材である。このストッパー部１６の突出方向の先端上部には、フラップ１４の左右両端面の上部から水平方向に突設されたピボット１４ｄがそれぞれ嵌め込まれる軸受部１８が設けられる。また、このストッパー部１６の突出方向先端辺は、フラップ１４の左右両端側の背面に当接するようになっている。このため、このストッパー部１６は、フラップ１４がジャケット用ハンガー部１０の背面側（後方）へと回動しないように規制するストッパーとして機能するものである。
【００１７】  ズボン用ハンガー部３０は、ズボン（下衣）を掛けて保持するためのものであり、シャフト３２、シャフト３２上端部に設けられた基軸部４０、およびシャフト３２下端部に連結されズボンが掛けられる水平杆３６で構成される。
【００１８】  シャフト３２は、基軸部４０にてフック１１の下端部に回動自在に連結される棒状の部材であり、その途中にフラップ先端部１４ｂが嵌まる係合凹部３４が設けられている。
この第１実施形態においては、係合凹部３４が、下方に向けて切込み深さが大きくなる楔状にて設けられる。
【００１９】  基軸部４０は、ズボン用ハンガー部３０をジャケット用ハンガー部１０（より具体的には、フック１１の下端部）と繋ぎ、ズボン用ハンガー部３０を上下回動可能とする基点となる部材である。本実施形態では、フック１１の下端部がボール状に形成されると共に、この基軸部４０がボール状のフック１１下端部を受け止める軸受形状に形成されている。つまり、フック１１の下端部と基軸部４０との間でボールジョイントが形成されている。
【００２０】  水平杆３６は、ズボン（下衣）を掛けるための部材であり、シャフト３２の先端（下端）側を２段階曲成してその軸が水平方向を向くように配設されたロッド状の部材であって、「ズボン掛け竿部」として機能するものである。この水平杆３６の先端部は上方に向けて若干曲成されており、水平杆３６に掛けたズボン（下衣）がこの水平杆３６の先端から簡単に抜け落ちないような構造になっている。
【００２１】  以上のように構成された第１実施形態によれば、ズボン用ハンガー３０を簡単な手順で手前に引き出して所定位置で固定することができる。その動作を以下に説明する。
【００２２】  まず、吊持杆１０ａを手で持って、フラップ１４を指先で手前に押し出すと、押し出されたフラップ１４は、その手前方向に隣接して存在するズボン用ハンガー部３０のシャフト３２に当接し、シャフト３２を手前に回動させ押し出す。そして、シャフト３２に沿って動くフラップ先端部１４ｂは、やがてシャフト３２に設けられたフラップ先端部１４ｂと係合する係合凹部３４の位置に達し、フラップ先端部１４ｂが係合凹部３４に嵌まると、シャフト３２の回動はその位置でフラップ１４によって止まる。
【００２３】  この第１実施形態においては、フラップ１４の幅方向中央部のシャフト３２に当接する部分に、上下方向に凹部１４ｃが設けられており、フラップ１４の回動とシャフト３２の回動の連動をより確実にスムーズな動作へと誘導する。
【００２４】  また、係合凹部３４が、下方に向けて切込み深さが大きくなる楔状にて設けられるため、フラップ先端１４ｂが係合凹部３４に入り込む動作はより滑らかになり、係合凹部３４に確実に誘導されて最終的に固定される。
【００２５】  これにより、最初ジャケット用ハンガー部１０の鉛直方向下側の位置であったズボン用ハンガー部３０が、鉛直方向に対して所定の傾斜角度（以下、単に「所定の傾斜角度」という。）で固定される。
また、指先でフラップ１４を手前に押し出す動作と並行して、スーツ用ハンガー５０全体を上部が手前に傾斜するように傾けることで、より簡単にフラップ先端部１４ｂをシャフト３２に設けられた係合凹部３４にまで到達させることもできる。
【００２６】  また、図４のように、フラップ１４の両脇に設けられたストッパー部１６が、使用者から見た奥側である背面方向へのフラップ１４の上下揺動を妨げる役目を果たし、不必要な回動を減らすことによってより効率的なフラップ１４の回動域を作っている。
【００２７】  この一連の動作は、脱いだジャケット（上衣）をスーツ用ハンガー５０に掛ける前に行われる。それによって、ズボン用ハンガー部３０がジャケット用ハンガー部１０から離れ、使用者側、つまり手前に所定の傾斜角度で固定された状態になり、使用者がジャケット用ハンガー部１０にジャケット（上衣）を掛けるとき、ズボン用ハンガー部３０がジャケット（上衣）の内側に入り込んでしまうことを回避できる。
【００２８】  図２の状態においてジャケット（上衣）をジャケット用ハンガー部１０に掛ける。その後、ズボン（下衣）をズボン用ハンガー部３０に掛ける。既に掛けたジャケット（上衣）は、ジャケット用ハンガー部１０がズボン用ハンガー部３０と乖離していることから、ズボン（下衣）をズボン用ハンガー部３０に掛けるときの邪魔にならない。
【００２９】  次に、シャフト３２が所定の傾斜角度で固定された状態を解除する方法を説明する。
スーツ用ハンガー５０全体を、その上部が手前に傾斜するように傾ける。ズボン用ハンガー部３０のシャフト３２が鉛直方向になるまでスーツ用ハンガー５０全体を手前に傾斜させると、互いに係合するフラップ先端部１４ｂとシャフト３２に設けられた係合凹部３４の係合状態が外れ（図３）、その後スーツ用ハンガー５０全体をもとの鉛直位置状態に戻すとき、ズボン用ハンガー部３０も鉛直方向にとどまる。
【００３０】  このとき、係合凹部３４が、下方に向けて切込み深さが大きくなる楔状にて設けられるため、シャフト３２が鉛直方向になるまでスーツ用ハンガー５０全体を手前に傾斜させるとき、係合凹部３４が、下方に向けて切込み深さが大きくなる楔状にて設けられていないときよりスムーズに係合凹部３４におけるフラップ先端部１４ｂとの係合状態が解除される。
【００３１】  また、シャフト３２がフラップ１４によって所定の傾斜角度で固定された状態を解除する手段としては、スーツ用ハンガー５０全体を傾けずとも、ズボン用ハンガー部３０を上方へ持ち上げて、係合するフラップ先端部１４ｂとシャフト３２に設けられた係合凹部３４とを離す方法も可能である。
【００３２】  このフラップ先端部１４ｂと係合凹部３４との係合状態を解除する動作は、ジャケット（上衣）をジャケット用ハンガー部１０に、ズボン（下衣）をズボン用ハンガー部３０に、それぞれ掛けた後に行われる。
なぜなら、ズボン用ハンガー部３０がフラップ１４によって所定の傾斜角度で固定された状態でスーツ用ハンガー５０をクローゼット等へ収納すると、この状態ではスーツ用ハンガー５０の厚みは相当であり、かさばりによって収納に不便を生じることもあるからである。
【００３３】  そこで、スーツ用ハンガー５０全体をその上部を使用者に向けた方向に傾斜させて、係合していたフラップ先端部１４ｂとシャフト３２の係合凹部３４との係合状態を外す。係合状態が外れたズボン用ハンガー部３０は基軸部４０を基点として回動するから、スーツ用ハンガー５０をもう一度鉛直方向へ戻したとき、それに伴ってズボン用ハンガー部３０も自重により鉛直姿勢（図１の状態）へと直る。
結果として、図２の状態で生じていたスーツ用ハンガー５０の厚みは、ズボン用ハンガー部３０の位置の変化によって軽減される。
【００３４】  一般に、スーツを着用していてそれを脱いでスーツ用ハンガーに掛けて収納しようとする時、まずスーツのジャケット（上衣）を脱いでジャケット用ハンガーに掛ける必要がある。なぜなら、ジャケット（上衣）をジャケット用ハンガーに掛けずに適当に放置するとシワが寄ってしまう原因になるからである。また、仮にズボン（下衣）を先にズボン用ハンガーに掛けようとして、ジャケット（上衣）を適当な場所に置いておくと、ズボン（下衣）を掛け終わった後にジャケット（上衣）をもう一度拾い上げてジャケット用ハンガーに掛けるという手間も生じる。したがって、スーツ用ハンガーとしてズボン（下衣）よりもジャケット（上衣）を先に掛けられる点は重要である。
【００３５】  本発明のスーツ用ハンガー５０は、使用していないときには、ズボン用ハンガー部３０はジャケット用ハンガー部１０に沿って鉛直方向にあって手前には出ていないが、ジャケット（上衣）を掛けた後ズボン（下衣）を掛けるという作業の時だけ手前に出すことができる。したがって、ジャケット（上衣）をジャケット用ハンガー部１０に掛ける際にズボン用ハンガー部３０は邪魔にならず、次にズボン（下衣）をズボン用ハンガー部３０に掛ける作業時には、既にジャケット用ハンガー部１０に掛かっているジャケット（上衣）は作業の邪魔にならない。
【００３６】  また、ズボン（下衣）を掛け終わった後には、スーツ用ハンガー５０全体を傾けるか、ズボン用ハンガー部３０を持ち上げるか、という簡単な動作で、ズボン用ハンガー部３０を元の鉛直位置に戻せるので手間が掛からない。
【００３７】  これまで、スーツを効率的に収納するスーツ用ハンガー５０として本発明について述べたが、本発明によるスーツ用ハンガー５０は、いわゆる共布で上衣と下衣をつくったスーツを収納するにとどまらず、共布にこだわらない一般の上衣（ジャケットやシャツ等）と下衣（スラックス、ジーンズ等）とをセットで収納するために幅広く活用することができる。
【００３８】  なお、上述の第１実施形態では、係合凹部３４が、下方に向けて切込み深さが大きくなる楔状にて設けられる場合を示したが、必ずしも係合凹部３４は下方に向けて切込み深さが大きくなる楔状にて設けられる必要はなく、単に簡便な凹部でもよい。
【００３９】  また、フラップ１４に設けられたシャフト３２を収める凹部１４ｃも、設置省略可能である。
【００４０】  また、ストッパー部１６については、フラップ１４の回動域を制御する機能を有しているが、必ずしも設ける必要はない。
なお、ストッパー部１６を設けない場合、例えば、フラップ１４の左右一対のピボット１４ｄの突出長さを延長し、左右一対の吊持杆１０ａに直接軸支させるようにすれば、フラップ１４の回動自在性は機能する。あるいは、左右一対の吊持杆１０ａの高さ方向中央に架設された桟材の中央部にフラップ１４を回動可能に設置することでも、フラップ１４の回動自在性を得ることができる。
【符号の説明】
【００４１】１０：ジャケット用ハンガー部，１０ａ：吊持杆，１１：フック，１４：フラップ，１４ｂ：フラップ先端部，１４ｃ：フラップ凹部，１４ｄ：ピボット，１６：ストッパー部，１８：軸受部，３０：ズボン用ハンガー部，３２：シャフト，３４：係合凹部，３６：水平杆，４０：基軸部，５０：スーツ用ハンガー
【図１】
2020130992.tif 000003
【図２】
2020130992.tif 000004
【図３】
2020130992.tif 000005
【図４】
2020130992.tif 000006